(57)【要約】      （修正有）【課題】モップ布に付着した水を容易に除去するとともに、モップの使用時の安全性を向上する自転式回転モップを提供する。【解決手段】外チューブ１１が軸方向にスライド可能に設けられ、内チューブ４１は、外チューブの内部に回転可能に設けられる。外チューブ１１の中に設けられた制動ロッド１３には、外チューブ１１の軸方向への移動を外チューブ１１の周方向への回転に変換する螺旋レール１３１が形成されている。回転伝達部３０は、制動ロッド１３からの回転力を内チューブ４１に伝達する。外チューブ１１が押し下げられると、制動ロッド１３によって、軸方向への移動が回転方向の力に変換され、この回転力が内チューブ４１に伝達される。内チューブ４１の回転に伴って回転盤４２が回転すると、これに取り付けられたモップ布が回転し、遠心力により水が除去される。【選択図】図２
0003161350.tif 000002
【実用新案登録請求の範囲】
【請求項１】
軸方向にスライド可能に設けられた外チューブと、
前記外チューブの内部に回転可能に設けられた内チューブと、
前記外チューブの内側で前記外チューブとともに前記軸方向に移動し、前記軸方向への移動を前記外チューブの周方向への回転に変換する螺旋レールが形成された制動ロッドと、
前記制動ロッドと前記内チューブとの間に設けられ、前記制動ロッドからの回転力を前記内チューブに伝達する回転伝達部と、
前記内チューブの一端に接続され、モップ布が取り付けられた回転盤と、
を備えたことを特徴とする自転式回転モップ。
【請求項２】
前記回転伝達部は、前記内チューブの一端に取り付けられる回転台と、
前記回転台に設けられ、前記制動ロッドの前記軸方向への移動に伴い、前記螺旋レールの外周に沿って回転する駆動具と、を備えたことを特徴とする請求項１記載の自転式回転モップ。
【請求項３】
前記回転台には、前記駆動具を収容する収容穴が形成され、
前記回転伝達部は、前記駆動具を前記収容穴に支持するための支持具を備え、前記支持具は前記回転台の外側に嵌め込まれることを特徴とする、請求項２記載の自転式回転モップ。
【請求項４】
前記駆動具は金属玉であることを特徴とする、請求項２または３記載の自転式回転モップ。
【請求項５】
前記回転伝達部は、前記内チューブと前記回転台との間に設けられ、前記内チューブを一方向にのみ回転可能にする規制具を含むことを特徴とする、請求項２記載の自転式回転モップ。
【請求項６】
前記規制具は、一方向クラッチであることを特徴とする、請求項５記載の自転式回転モップ。
【請求項７】
前記回転伝達部は、前記規制具と前記内チューブとの間に嵌め込まれ、前記規制具の回転力を前記内チューブに伝達する嵌合具を備えることを特徴とする、請求項５記載の自転式回転モップ。
【請求項８】
前記嵌合具の両端に配置され、前記回転台の回転を補助する回転補助具を備えることを特徴とする、請求項７記載の自転式回転モップ。
【請求項９】
前記回転補助具は、ボールベアリングであることを特徴とする、請求項８記載の自転式回転モップ。
【請求項１０】
前記外チューブの前記軸方向への移動を規制するとともに、前記外チューブを前記内チューブへ押し付けて前記内チューブの回転を規制する挟持部を備えたことを特徴とする、請求項１ないし９のいずれか記載の自転式回転モップ。
【請求項１１】
前記挟持部は、前記外チューブを挟み込む挟み具と、前記挟み具と係合する操作具とを備え、前記操作具は、前記内チューブの回転を規制する固定位置と、前記内チューブの回転を許容する解除位置との間で移動可能であることを特徴とする、請求項１０記載の自転式回転モップ。
【請求項１２】
前記回転盤と前記外チューブとの間に、前記自転式回転モップの長さを調節するための補助ロッドが設けられていることを特徴とする、請求項１ないし１１のいずれか記載の自転式回転モップ。
【請求項１３】
前記外チューブの上端側に取り付けられる握り具と、前記制動ロッドに取り付けられて前記握り具を内側から押し付ける押付具を備えることを特徴とする、請求項１ないし１２のいずれか記載の自転式回転モップ。
【請求項１４】
前記内チューブの中に、前記制動ロッドを支持する弾性具を備えたことを特徴とする、請求項１ないし１３のいずれか記載の自転式回転モップ。
【考案の詳細な説明】
【技術分野】
【０００１】
本考案は、自転式回転モップに関し、特に、回転によって生じる遠心力を利用してモップ布に付着した水を除去する自転式回転モップに関する。
【背景技術】
【０００２】
ロッドの先端にモップ布が取り付けられたモップを用いる場合、モップ布を手で絞る必要があった。この際、モップの使用者は腰をかがめる必要があるとともに、モップを絞る手が濡れてしまうため、使用者の負担が大きいものとなっていた。
【０００３】
かかる負担を軽減させるため、様々な構成のモップ装置が考案されている。例えば、特許文献１に記載の回転モップは、主ロッドの外周に回転可能に取り付けられるハンドルを備える。モップ布は、主ロッドとハンドルの一端に取り付けられており、主ロッドに対してハンドルを回転させることにより、モップが絞られる。これにより、モップ布に手を触れることなく、モップを絞ることができるが、モップを絞るために手でハンドルを回転させる必要があった。
【０００４】
そこで、特許文献２に記載のモップ脱水機では、バケツと、このバケツに回転可能に設置され、複数の排水孔が形成された脱水装置と、この脱水装置を回転させる踏込式駆動手段が設けられている。この脱水装置にモップ布をセットして、踏込式駆動手段を足で踏み込むことにより、脱水装置とモップ布とが同時に回転し、回転による遠心力によって、モップ布に付着した水が除去される。これにより、使用者は手でモップを絞る必要がなくなり、モップを絞る作業が省力化される。
【先行技術文献】
【非特許文献】
【０００５】
【特許文献１】台湾特許第３５４４０５号
【特許文献２】台湾特許第３６５１５６号
【考案の概要】
【考案が解決しようとする課題】
【０００６】
しかしながら、モップ布に付着した水を除去する場合、モップ布からの水が床面に付着することがあり、かかる場合には床面が滑りやすくなる。これは、上記特許文献２に記載のモップ脱水機を用いてモップを絞る場合でも同様である。上記踏込式駆動手段を足で踏み込んでいる間は、使用者はもう片方の足のみで身体を支えることとなるため、床面が滑りやすい状態で、特許文献２に記載のモップ脱水機を使用した場合に、利用者が滑って転倒してしまうおそれがあった。
【０００７】
本考案は、上記背景に鑑みなされたものであり、モップ布に付着した水を容易に除去することができるとともに、利用者が転倒するおそれをなくすことが可能な自転式回転モップを提供することにある。
【課題を解決するための手段】
【０００８】
本考案の自転式回転モップは、軸方向にスライド可能に設けられた外チューブと、前記外チューブの内部に回転可能に設けられた内チューブと、前記外チューブの内側で前記外チューブとともに前記軸方向に移動し、前記軸方向への移動を前記外チューブの周方向への回転に変換する螺旋レールが形成された制動ロッドと、前記制動ロッドと前記内チューブとの間に設けられ、前記制動ロッドからの回転力を前記内チューブに伝達する回転伝達部と、前記内チューブの一端に接続され、モップ布が取り付けられた回転盤とを備える。
【０００９】
この構成により、回転モップの使用者は、単に外チューブを手で押し下げるだけで良いから、小さな力でモップ布に付着した水を除去することできる。また、使用者は、両足を地面に付けた状態でモップの水を除去することができるから、水の除去作業中に使用者が転倒するおそれをなくすことができる。従って、使用の安全性が向上する。
【００１０】
本発明において、前記回転伝達部は、前記内チューブの一端に取り付けられる回転台と、前記回転台に設けられ、前記制動ロッドの前記軸方向への移動に伴い、前記螺旋レールの外周に沿って回転する駆動具とを備えることが好ましい。この回転台には、前記駆動具を収容する収容穴が形成されていることが好ましく、前記回転伝達部は、前記駆動具を前記収容穴に支持するための支持具を備え、前記支持具は前記回転台の外側に嵌め込まれることが好ましい。また、駆動具は金属玉であることが好ましい。
【００１１】
本発明において、前記回転伝達部は、前記内チューブと前記回転台との間に設けられ、前記内チューブを一方向にのみ回転可能にする規制具を含む。この規制具は、一方向クラッチであることが好ましい。
【００１２】
回転伝達部は、前記規制具と前記内チューブとの間に嵌め込まれ、前記規制具の回転力を前記内チューブに伝達する嵌合具を備えることが好ましい。また、この嵌合具の両端に配置され、前記回転台の回転を補助する回転補助具を備えることが好ましい。この回転補助具は、ボールベアリングであることが好ましい。
【００１３】
本発明において、前記外チューブの前記軸方向への移動を規制するとともに、前記外チューブを前記内チューブへ押し付けて前記内チューブの回転を規制する挟持部を備えることが好ましい。また、挟持部は、前記外チューブを挟み込む挟み具と、前記挟み具と係合する操作具とを備え、前記操作具は、前記内チューブの回転を規制する固定位置と、前記内チューブの回転を許容する解除位置との間で移動可能であることが好ましい。
【００１４】
本発明において、回転盤と前記外チューブとの間に、前記自転式回転モップの長さを調節するための補助ロッドを備えても良い。また、外チューブの上端側に取り付けられる握り具と、前記制動ロッドに取り付けられて前記握り具を内側から押し付ける押付具を備えても良い。さらに、内チューブの中に、前記制動ロッドを支持する弾性具を備えることが好ましい。
【考案の効果】
【００１５】
本考案によれば、外チューブをスライドさせるだけで、モップ布を回転させることができるから、モップ布に付着した水を容易に除去することができるとともに、利用者が転倒するおそれをなくすことが可能となる。
【図面の簡単な説明】
【００１６】
【図１】本考案に係る自転式回転モップの部分外観斜視図である。
【図２】図１の自転式回転モップの分解斜視図である。
【図３】自転式回転モップの部分断面図である。
【図４】自転式回転モップの使用状態を示す斜視図である。
【図５】自転式回転モップの動作を示す図であり、図５Ａは外ロッドが押し下げられていない状態を、図５Ｂは外ロッドが押し下げられた状態を示す。
【図６】自転式回転モップの部分断面図であり、外ロッドが押し下げられているときの状態を示すものである。
【図７】自転式回転モップの部分断面図であり、外ロッドが押し上げられているときの状態を示すものである。
【考案を実施するための形態】
【００１７】
以下、図面を参照して、本考案の実施の形態について説明する。
【００１８】
図１ないし図３に示すように、本考案の一実施形態に係る自転式回転モップは、外ロッド１０と回転ロッド４０とを備える。外ロッド１０は、外チューブ１１と、この外チューブ１１の上端側に組み付けられる握り具１２を含む。外チューブ１１の上端には押付具１４が嵌め込まれ、この押付具１４は、外チューブ１１を握り具１２に押し付けるとともに、螺旋レール１３１が形成された制動ロッド１３を外チューブ１１の内部に支持する。
【００１９】
回転ロッド４０は、内チューブ４１と、この内チューブ４１の内部に設けられる回転伝達具３０を含む。内チューブ４１は、その径が外チューブ１１よりも小さくなっているとともに、その一部が外チューブ１１の中に入り込んだ状態で、外チューブ１１と接続されている。内チューブ４１には、自走式回転モップの長さを増加させるための補助ロッド４３を介して、回転盤４２が接続されている。この回転盤４２には、床面を掃除するためのモップ布が取り付けられる。
【００２０】
また、内チューブ４１には、制動ロッド１３を支持するための弾性具４４が配置されている。この弾性具４４は、制動ロッド１３の下端に設けられた連接部１３２によって、制動ロッド１３と接続されている。
【００２１】
回転伝達部３０は、回転台３１と、駆動具３２と、回転補助具３３，３７と、規制具３４と、支持具３５と、嵌合具３６と、ナット３８とを備え、内チューブ４１の内側に配置されている。
【００２２】
回転台３１は、内チューブ４１の上端に取り付けるための接続部３１１と、駆動具３２を収容する収容穴３１２と、制動ロッド１３が挿通される挿通孔が形成されている。駆動具３２は、例えば金属玉であり、回転台３１に形成された収容穴３１２の中に配置され、制動ロッド１３の移動に伴い、螺旋レール１３１に沿って回転する。支持具３５は、回転台３１の外側に嵌め込まれ、これにより駆動具３２が収容穴３１２の内部で支持される。
【００２３】
規制具３４は、内チューブ４１を一方向に回転可能とするための一方向クラッチであり、内チューブ４１と回転台３１との間に設けられる。嵌合具３６は、規制具３４と内チューブ４１との間に設けられるとともに、取付具３６１により内チューブ４１に取り付けられ、規制具３４の回転を内チューブ４１に伝達する。また、嵌合具３６の上下端には、回転台３１の回転を補助するための回転補助具３３，３７がそれぞれ設けられる。この回転補助具３３，３７は、例えばボールベアリング（深溝玉軸受）である。回転台３１の内チューブ４１と接続していない側の端部には、回転補助具３３，３７を固定するためのナット３８が取り付けられる。
【００２４】
外チューブ１１の外側には、挟み具２１と操作具２２から構成される挟持部２０が設けられる。挟み具２１は、外チューブ１１と操作具２２との間に配置されるとともに、その外周に形成されたカムピンが操作具２２に形成されたカム溝と係合している。これにより、操作具２２は後述する固定位置と解除位置との間で、外チューブ１１の軸方向に沿ってスライド可能とされる。
【００２５】
操作具２２を固定位置（回転盤４２の方向）へスライドさせると、操作具２２は挟み具２１の下端側と密着して、挟み具２１を外チューブ１１の方向へ押し付ける。その結果、外チューブ１１が内チューブ４１と密着するため、回転モップを用いて床面を清掃している間、内チューブ４１が外チューブ１１の内側で固定される。
【００２６】
一方、操作具２２を解除位置（握り具１２の方向）へスライドさせると、操作具２２と挟み具２１との密着状態が解除され、挟み具２１が外チューブ１１を押し付けようとする力も解除される。これにより、内チューブ４１が外チューブ１１の内側で回転し、内チューブ４１に取り付けられた回転盤４２も回転する。
【００２７】
図４に示すように、本実施形態に係る回転モップは、モップ布からの水を保持するためのバケツ５０にセットされて使用される。バケツ５０には、回転モップの回転盤４２を入り込ませることが可能な脱水盆５１が設けられており、この脱水盆５１の側部には複数の排水穴５２が形成されている。脱水盆５１は、回転可能となるようにバケツ５０に取り付けられており、回転盤４２を脱水盆５１に押し付けた状態で回転盤４２を回転させると、脱水盆５１が回転盤４２とともに回転し、モップ布に付着した水が回転による遠心力により除去される。除去された水は、排水穴５２を通ってバケツ５０の内部に流入する。
【００２８】
以下、図５〜図７を用いて、本実施形態の自転式回転モップの動作を説明する。  本実施形態に係る自転式回転モップを用いて水を除去する場合、使用者は、操作部２２を握り具１２の方向へスライドさせ、解除位置へセットする。上述のように、操作部２２が解除位置にセットされると、内チューブ４１が外チューブに挟み込まれなくなり、内チューブ４１が外チューブの内側で回転することが可能となる。
【００２９】
この状態で、モップの使用者は、回転盤４２を脱水盆５１に押し付けた状態で、外チューブ１１を回転盤４２の方向へ押し下げる。すると、押付具１４を介して外チューブ１１に取り付けられた制動ロッド１３も回転盤４２の方向へ移動し、これにより、弾性具４４が圧縮される。
【００３０】
かかる制動ロッド１３の移動により、螺旋レール１３１と接触している駆動具３２が回転し、さらに、駆動具３２に接続された回転台３１と支持具３５が、図６の時計周りの方向に回転する。ここで、支持具３５と接触している規制具３４が一方向クラッチであり、この規制具３４に設けられたローラー体３４１が図６の時計方向にのみ回転可能となっているため、回転台３１と支持具３５が図６の時計方向に回転する場合は、規制具３４のローラー体３４１は回転できなくなる。
【００３１】
この結果、回転台３１と支持具３５の回転が規制具３４に伝達されるため、規制具３４が時計方向に回転し、さらに規制具３４を介して嵌合具３６と内チューブ４１も時計方向に回転する。内チューブ４１の回転により、これに接続された回転盤４２が回転するため、前述の通り、回転盤４２に取り付けられたモップ布に付着した水を除去することができる。
【００３２】
このように、モップ布に付着した水を除去する際、回転モップの使用者は、単に外チューブ１１を手で押し下げるだけで良いから、小さな力で水を除去することが可能となる。また、使用者は、両足を地面に付けた状態でモップの水を除去することができるから、水の除去作業中に使用者が転倒するおそれをなくすことができる。従って、使用の安全性が向上する。
【００３３】
また、回転盤４２の方向へ押し下げられた外チューブ１１は、弾性体４４の弾性力を受けて、握り具１２の方向へ押し上げられるから、簡単に元の状態に戻すことができる。この際、外チューブ１１とともに制動ロッド１３も握り具の方向へ押し上げられるが、回転台３１と支持具３５は、図７の反時計方向に回転する。このとき、規制具３４に取り付けられたローラー体３４１が時計方向に移動することができるので、回転台３１と支持具３５の回転力はローラー体３４１へ伝達され、嵌合具３６や内チューブ４１に伝達されない。したがって、外チューブ１１が押し上げられる際は、内チューブ４１が回転することはない。さらに、回転台３１の回転は回転補充具３３，３７に伝達されるので、回転台３１と内チューブ４１との摩擦力を抑制することができる。
【００３４】
上記実施形態では、外チューブ１１が回転盤４２の方向にスライドする場合のみ、回転盤４２が回転するように構成されているが、本考案はこれに限定されることはない。規制具３４を省略して、支持具３５に嵌合具３６を直接、接続しても良く、この場合は、外チューブ１１を両方向に移動させたときに回転盤４２が連動して回転する。
【産業上の利用可能性】
【００３５】
本考案は、モップ布に付着した水を効率よく除去することができるとともに、使用の安全性が向上するから、回転式のモップとして有用である。
【符号の説明】
【００３６】
１０  外ロッド
１１  外チューブ
１２  握り具
１３  制動ロッド
１４  押付具
２０  挟持部
２１  挟み具
２２  操作具
３０  回転伝達部
３１  回転台
３２  駆動具
３３，３７  回転補助具
３４  規制具
３５  支持具
３６  嵌合具
３８  ナット
４０  回転ロッド
４１  内チューブ
４２  回転盤
４３  補助ロッド
４４  弾性具
５０  バケツ
５１  脱水盆
５２  排水穴
１３１  螺旋レール
１３２  連接部
３１１  接続部
３１２  収容穴
３４１  ローラー体
３６１  取付具
【図１】
0003161350.tif 000003
【図２】
0003161350.tif 000004
【図３】
0003161350.tif 000005
【図４】
0003161350.tif 000006
【図５】
0003161350.tif 000007
【図６】
0003161350.tif 000008
【図７】
0003161350.tif 000009